(57)【特許請求の範囲】
【請求項１】
装着孔（１３ａ）を有する遊技盤（１３）と、該遊技盤（１３）の前側から前記装着孔（１３ａ）に装着され且つ前記遊技盤（１３）に対して係合手段（４８）により係脱自在に固定される前構造体（４０）と、該前構造体（４０）の裏側を覆うように前記遊技盤（１３）の裏側に装着される裏構造体（４１）とを備えた遊技機において、前記裏構造体（４１）上の前記係合手段（４８）に対応する位置に開口部（９６ａ）（９６ｂ）を設け、該開口部（９６ａ）（９６ｂ）を開閉可能な開閉扉（１０２）を設けたたことを特徴とする遊技機。
【請求項２】
前記係合手段（４８）は前記遊技盤（１３）への係合部（７６ａ）（７６ｂ）を複数備え、それら各係合部（７６ａ）（７６ｂ）に対応して夫々前記開口部（９６ａ）（９６ｂ）を設けたことを特徴とする請求項１に記載の遊技機。
【請求項３】
前記開口部（９６ａ）を、前記係合手段（４８）の係合解除操作方向に対応する位置に設けたことを特徴とする請求項１又は２に記載の遊技機。
【請求項４】
前記前構造体（４０）と前記裏構造体（４１）とを前記遊技盤（１３）に装着した状態で、前記係合手段（４８）の係合部（７６ａ）の少なくとも一部が前記開口部（９６ａ）を介して前記裏構造体（４１）の外側に突出するように構成されていることを特徴とする請求項１〜３の何れかに記載の遊技機。
【請求項５】
前記開口部（９６ａ）は、前記裏構造体（４１）の前記遊技盤（１３）への装着方向に向けて開放していることを特徴とする請求項１〜４の何れかに記載の遊技機。
【請求項６】
前記裏構造体（４１）は画像表示手段（４２）を前記遊技盤（１３）の裏側で支持するものであり、前記前構造体（４０）は、前記画像表示手段（４２）の表示枠を構成するものであることを特徴とする請求項１〜５の何れかに記載の遊技機。
【発明の詳細な説明】
【０００１】
【発明の属する技術分野】
本発明は、パチンコ機、アレンジボール機、雀球遊技機、スロットマシン等の各種遊技機に関するものである。
【０００２】
【従来の技術】
遊技機、例えばパチンコ機等の弾球遊技機においては、遊技盤に円弧状のガイドレールを配し、このガイドレールの内側の遊技領域に液晶式表示手段、入賞手段等の各種の遊技部品を配置している。各遊技部品の遊技盤への装着形態としては、遊技部品側に設けた圧入ピン等の係合手段によって遊技盤の装着孔に圧入固定する形態が一般化しており、遊技部品の中でも比較的大型の液晶式表示手段についても、圧入固定式の係合手段を用いた装着形態を用いた例が多くなっている。
【０００３】
但し、液晶式表示手段の場合には、その裏側に重量物である液晶表示ユニットを搭載する必要があることから、例えば表示枠を備えた前構造体と液晶表示ユニットを支持する裏構造体とを別体で構成すると共に、前構造体は遊技盤の前側から圧入固定式の係合手段により係脱自在に固定し、裏構造体は前構造体の裏側を覆うように遊技盤の裏側にネジ等で強固に固定するようにしている。
【０００４】
【発明が解決しようとする課題】
従来の弾球遊技機では、前構造体が圧入固定式等により遊技盤に対して比較的着脱容易に装着されているにも拘わらず、前構造体の裏側を覆うように裏構造体が装着されているため、裏構造体を装着した状態では前構造体側の係合手段の係合を解除することができず、裏構造体を装着したままの状態で前構造体を取り外すことができない欠点があった。
【０００５】
即ち、前構造体の取り外しのみが目的の場合であっても、まずネジ等により強固に固定されている裏構造体を遊技盤から取り外し、その上で係合手段の係合を解除して前構造体を取り外す必要があり、非常に手間であった。
【０００６】
本発明は、このような従来の問題点に鑑み、裏構造体を遊技盤から取り外すことなく前構造体を遊技盤から容易に取り外すことが可能な遊技機を提供することを目的とする。
【０００７】
【課題を解決するための手段】
本発明は、装着孔１３ａを有する遊技盤１３と、該遊技盤１３の前側から前記装着孔１３ａに装着され且つ前記遊技盤１３に対して係合手段４８により係脱自在に固定される前構造体４０と、該前構造体４０の裏側を覆うように前記遊技盤１３の裏側に装着される裏構造体４１とを備えた遊技機において、前記裏構造体４１上の前記係合手段４８に対応する位置に開口部９６ａ，９６ｂを設け、該開口部９６ａ，９６ｂを開閉可能な開閉扉１０２を設けたものである。
【０００８】
【発明の実施の形態】
以下、本発明の実施形態を図面に基づいて詳述する。図１〜図１０は本発明をパチンコ機として具現化した第１の実施形態を例示している。図１において、１は遊技機本体で、矩形状の外枠２の前側に、上下一対のヒンジ４を介して前枠３が開閉自在に枢着されている。５はガラス扉、６は前面開閉板で、これらは前枠３の窓孔７に対応して上下に配置され、前枠３に開閉自在に枢支されている。
【０００９】
８は発射用の遊技球を貯留する上皿で、前面開閉板６の前側に装着され、上皿カバー９により覆われている。また、１０は余剰球等を貯留する下皿、１１は灰皿で、これらは前面開閉板６の下側で前枠３の前側に左右に配置され、下皿カバー１２により覆われている。
【００１０】
１３は遊技盤で、前枠３の窓孔７に対応するように、前枠３の裏側に設けられる図外の遊技盤装着枠に裏側から着脱自在に装着され、窓孔７の下部側で前枠３の裏側に装着された図外の支持板により下側から支持されている。
【００１１】
１６は発射手段で、下皿１０の一側で前枠３の前側に装着された発射ハンドル１７と、支持板の前側に装着された発射レール１８と、前枠３の裏側に配置された発射モータ１９及び打撃槌２０等を備え、発射ハンドル１７を操作したときに、発射モータ１９により打撃槌２０が作動して、前面開閉板６の裏側に装着された図外の球送り手段により発射レール１８上に１個ずつ供給される遊技球を遊技盤１３側に発射させるようになっている。
【００１２】
遊技盤１３は、図２に示すようにベニヤ板等を略正方形状に切断したものであって、その前側には、発射手段１６により発射された遊技球を案内するガイドレール２１が環状に装着されると共に、そのガイドレール２１の内側の遊技領域２２に、液晶式表示手段２３、特別図柄始動手段２４、大入賞手段２５、普通図柄始動手段２６、普通入賞手段２７等の各遊技部品が配置され、また大入賞手段２５の下方にアウト口２８が設けられている。液晶式表示手段２３は、普通図柄表示手段３１と特別図柄表示手段３２とを兼用している。
【００１３】
普通図柄表示手段３１は、１個又は複数個、例えば１個の普通図柄を変動表示可能であり、普通図柄始動手段２６が遊技球を検出することを条件に、その普通図柄を乱数制御等により所定時間変動表示して停止するようになっている。普通図柄は、上下方向又は左右方向のスクロール等によって変動し、所定態様又は非所定態様で停止する。なお、普通図柄には、数字図柄、アルファベット図柄、キャラクター図柄、その他の適宜遊技図柄を使用可能であり、この実施形態では、「０」〜「９」までの数字図柄が用いられている。
【００１４】
特別図柄始動手段２４は、開閉自在な左右一対の開閉爪３４を備えた可変作動式の電動式チューリップ等により構成され、普通図柄表示手段３１の変動後の普通図柄が所定態様となった場合に開閉爪３４が所定時間開放するようになっている。
【００１５】
特別図柄表示手段３２は、１個又は複数個、例えば左右方向に３個の特別図柄を変動表示可能であり、特別図柄始動手段２４が遊技球を検出することを条件に特別図柄を乱数制御により所定時間変動表示して、例えば左、右、中等の所定の順序で停止するようになっている。特別図柄は、変動時には上下方向又は左右方向にスクロールする等、所定の変動パターンで変動して、その変動後に各特別図柄が同種図柄となる特定態様、又は特別図柄の少なくとも１つが異なる図柄となる非特定態様で停止する。なお、特別図柄には、数字図柄、アルファベット図柄、キャラクター図柄、その他の適宜遊技図柄を使用可能であり、この実施形態では、「０」〜「９」までの数字図柄が用いられている。
【００１６】
大入賞手段２５は、下部側の横軸心廻りに開閉する開閉板３５を備えた可変作動式であって、特別図柄表示手段３２の変動後の特別図柄が特定態様となることに基づいて特別利益状態が発生したときに、開閉板３５が前側に所定時間開放して、その上に落下した遊技球を内部へと入賞させるようになっている。また大入賞手段２５は、その内部側が２又は３個等の複数個の通路に分割され、その一部の通路が特定領域３６となっている。
【００１７】
大入賞手段２５は、その開放から所定時間（例えば３０秒間）が経過するか、所定時間内に所定数（例えば１０個）の遊技球が入賞することを条件に開閉板３５を閉じ、遊技球が特定領域３６を通過することを条件に、最大所定回数（例えば１６回）までその開閉動作を繰り返すようになっている。
【００１８】
続いて、液晶式表示手段２３の構成について更に詳しく説明する。液晶式表示手段２３は、図３〜図１０に示すように、遊技盤１３の装着孔１３ａに前側から圧入により着脱自在に装着される前構造体４０と、この前構造体４０に対応して遊技盤１３の裏側にネジ等により着脱可能に装着される裏構造体４１と、この裏構造体４１の後側に着脱自在に装着される液晶表示ユニット（画像表示手段）４２とを備えている。前構造体４０と裏構造体４１とは、遊技盤１３に装着された状態で固定手段４３により互いに固定できるようになっている。
【００１９】
前構造体４０は、図５等より明らかなように、上下方向中央部分よりも下部側に若干変位した位置に略矩形状の開口窓４４が形成された本体部４５と、この本体部４５の前側に装着された廂部４６と、本体部４５の後側に装着された後部枠体４７と、前構造体４０を遊技盤１３の装着孔１３ａに係脱自在に固定するための圧入固定手段（係合手段）４８（図８等）とを備えている。
【００２０】
本体部４５は、図３，図５等に示すように、開口窓４４の前縁側から外向きに鍔状に張り出し且つ遊技盤１３の前側に当接する前飾り板５１と、開口窓４４の一側、例えば向かって左側に沿って略上下方向に設けられた球案内通路５２と、開口窓４４の下側に沿って左右方向に設けられる球案内ステージ５３とを一体に備えている。
【００２１】
前飾り板５１の裏面側には、遊技盤１３の前面側に設けられた位置決め孔１３ｂに対応する位置決め突起５１ａが複数設けられている。
【００２２】
球案内通路５２は、図３に示すように、廂部４６側の入口５４に入球した遊技球を下向きに案内するようになっている。球案内ステージ５３は、左右方向中央部分が山部５５、その左右両側が谷部５６となった滑らかな波形状に形成されており、球案内通路５２側から案内された遊技球を左右に往復移動させつつ減速させた後、山部５５の中央部分に設けられた凹部５７、又は谷部５６から前側に落下させるようになっている。
【００２３】
なお、凹部５７は、特別図柄始動手段２４の真上に位置しており、凹部５７を介して遊技盤１３の前側に落下した遊技球は極めて高い確率で特別図柄始動手段２４に入賞するようになっている。
【００２４】
本体部４５の開口窓４４の上側から左右両側にかけての部分には、図５に示すように、球案内通路５２よりも上側の位置に、遊技盤１３の装着孔１３ａとの間に後述するランプ６１が格納される空間６２が形成されており、その前側に対応して前飾り板５１に開口部６３が形成されている。
【００２５】
廂部４６は、前飾り板５１の前方に突出しており、本体部４５側の開口部６３及び球案内通路５２の上部側を前側から覆うように、開口窓４４の上側から左右両側に跨がって正面視逆Ｕ字状に設けられている。廂部４６の一端側下部には、図３及び図５に示すように、遊技盤面に沿って斜め上向きに開口する入口５４と、この入口５４に入球した遊技球を後側の球案内通路５２の上流側に案内する連絡通路６４とが一体に設けられている。
【００２６】
また、廂部４６は、後側のランプ６１からの光が透過するように少なくともその一部分が透明に形成されている。なお、廂部４６の前面側には例えばキャラクター等の装飾（図示省略）が施されており、その装飾に対応するように後側のランプ６１が配置されている。
【００２７】
後部枠体４７は、図５、図６等に示すように、本体部４５の開口窓４４に沿って矩形枠状に形成された発光表示枠６５と、遊技盤１３の装着孔１３ａに対応して発光表示枠６５の前縁側から外側に鍔状に張り出す支持板部６６と、発光表示枠６５の下側に配置される係止手段６７とを備え、本体部４５の開口窓４４の後側に例えば着脱可能に装着されている。
【００２８】
発光表示枠６５は、裏構造体４１側のランプ６８を前側から覆うもので、リブ６９によって開口窓４４の縁部に沿って複数のランプ収容部７０に分割されており、それらランプ収容部７０内に夫々１個又は複数個のランプ６８が収容されている。発光表示枠６５には、ランプ６８からの光を透過し且つ前側からランプ６８が透視できないように、例えば透明の合成樹脂の裏側に凹凸処理等が施されている。
【００２９】
支持板部６６には、その前側で且つ発光表示枠６５の上側に、複数のランプ６１が装着されたランプ基板７１が着脱自在に装着されており、また、その裏側で且つ発光表示枠６５の左右両側に、図６及び図８に示すように一対の圧入固定手段４８が着脱可能に装着されている。
【００３０】
圧入固定手段４８は、上下方向に長い板状に形成され且つネジ等によって支持板部６６の裏側に固定される固定部７２と、この固定部７２の上下両端側に設けられた一対の圧入部７３ａ，７３ｂとを備え、例えば合成樹脂材料により一体に形成されている。
【００３１】
圧入部７３ａ，７３ｂは、固定部７２の上下両端側から後ろ向きに延設された横部材７４ａ，７４ｂと、それら横部材７４ａ，７４ｂの後端側から夫々上下方向に延設された縦部材７５ａ，７５ｂと、それら縦部材７５ａ，７５ｂの端部側から前向きに延設された圧入爪（係合部）７６ａ，７６ｂとを備えた側面視略コの字型に形成されている。
【００３２】
圧入爪７６ａ，７６ｂは、前側の係合面７７と後側の案内面７８とを有する側面視略への字型に形成されており、互いに近づく方向、即ち固定部７２側に弾性変形可能となっている。
【００３３】
圧入爪７６ａ，７６ｂは、前構造体４０を遊技盤１３に装着したとき、その係合面７７が装着孔１３ａの上下の後縁部に後側から圧着係合する位置に配置されている。前構造体４０を遊技盤１３の前側から装着する際には、圧入爪７６ａ，７６ｂは互いに向かい合う方向に弾性変形しつつ装着孔１３ａを後ろ向きに通過し、図８に示すように係合面７７が装着孔１３ａの後縁部に係合して固定される。
【００３４】
また、前構造体４０を遊技盤１３から取り外す際には、圧入爪７６ａ，７６ｂを互いに向かい合う方向、即ち圧入爪７６ａを下向き、圧入爪７６ｂを上向き（係合解除操作方向）に押圧して係合面７７の装着孔１３ａ後縁部への係合を解除し、その状態で前構造体４０を前向きに移動させればよい。
【００３５】
なお、圧入固定手段４８は、図６等に示すように、その圧入部７３ａ，７３ｂの縦部材７５ａ，７５ｂが左右方向に屈曲しており、圧入爪７６ａ，７６ｂが固定部７２よりも左右方向内側に偏位している。また、固定部７２の裏面側、縦部材７５ａ，７５ｂの裏面側、圧入爪７６ａ，７６ｂの内側等には夫々補強リブ７９が一体に設けられている。
【００３６】
係止手段６７は、裏構造体４１側の後述する被係止手段８０と共に、前構造体４０と裏構造体４１とを互いに固定する固定手段４３を構成するもので、図５，図６，図８等に示すように、嵌合突部８１と係止具８２とを備えている。
【００３７】
嵌合突部８１は、球案内ステージ５３の山部５５の後側若しくはその近傍、即ち発光表示枠６５の下側で左右方向中央部分に、支持板部６６の裏面側から後方に突出するように一体に設けられており、例えば横長の矩形箱状に形成されている。嵌合突部８１の背面側には、係止具８２が、前後方向の軸廻りに回動自在に枢支されている。係止具８２は、その回動軸に直交し且つ互いに逆向きの２方向に突出するレバー部８２ａを備えている。
【００３８】
係止具８２は、嵌合突部８１に沿ってレバー部８２ａを水平にしたときに、背面視で嵌合突部８１から上下左右にはみ出さない大きさに形成されており、後述する裏構造体４１側の嵌合孔部９８に嵌合させる際に嵌合孔部９８と干渉しないようになっている。
【００３９】
裏構造体４１は、図４，図５，図７〜図１０に示すように、前構造体４０の裏側を覆うケース体９１と、そのケース体９１の左右両側に設けられ且つ遊技盤１３の裏面側に着脱自在に固定される固定板部９２と、ケース体９１の下部側で左右方向中央に設けられた被係止手段８０とを備えている。
【００４０】
ケース体９１は、上壁板９３ａ、下壁板９３ｂ、左右の側壁板９３ｃ，９３ｄ、及び背板９３ｅにより前側が開口した矩形箱状に形成されている。背板９３ｅには、発光表示枠６５に対応する表示窓９４が開口状に形成されており、裏構造体４１を遊技盤１３の裏面側の所定位置に装着したとき、表示窓９４が発光表示枠６５の後端側に嵌め合わされ、ケース体９１の前縁側は遊技盤１３の裏面側或いは前構造体４０の支持板部６６の裏面側に当接するようになっている。また、背板９３ｅの前側には、複数のランプ６８が装着されたランプ基板９５が着脱可能に装着されている。
【００４１】
ケース体９１の上壁板９３ａには、圧入固定手段４８の上側の圧入爪７５ａに対応する左右一対の開口部９６ａが形成されている。この開口部９６ａは、前構造体４０と裏構造体４１とを遊技盤１３に装着した状態における圧入爪７５ａの真上にあたる位置、即ち圧入爪７５ａの係合解除操作方向（下向き）の上流側に対応する位置に設けられ、例えば上壁板９３ａの前縁側から後方に向けて所定深さの矩形の切り欠き状に形成されている。なお、開口部９６ａの大きさは例えば人の指を挿入できる程度であることが望ましい。
【００４２】
また、ケース体９１の左右の側壁板９３ｃ，９３ｄには、圧入固定手段４８の下側の圧入爪７５ｂに対応する開口部９６ｂが夫々形成されている。この開口部９６ｂは、前構造体４０と裏構造体４１とを遊技盤１３に装着した状態における圧入爪７５ｂの略真横にあたる位置に設けられ、例えば側壁板９３ｃ，９３ｄの前縁側から後方に向けて矩形孔状に形成されている。なお、開口部９６ｂについても、その大きさは人の指を挿入できる程度であることが望ましい。
【００４３】
ケース体９１の背板９３の裏面側には、図示しない係合爪やネジ等の装着手段によって液晶表示ユニット４２を着脱自在に装着可能となっている。液晶表示ユニット４２は、ケース体９１に装着されたとき、その前側の表示画面が表示窓９４内に配置されるようになっている。
【００４４】
固定板部９２は、ケース体９１の左右の側壁板９３ｃ，９３ｄの前縁側から左右方向に張り出す鍔状に形成されており、例えば側壁板９３ｃ、９３ｄに一体に形成されている。この固定板部９２は、その前面側を遊技盤１３の裏面側に当接させた状態で、ネジ等の固定手段により着脱可能に固定されるようになっている。
【００４５】
被係止手段８０は、ケース体９１の下縁側の左右方向中央部分で前向きに凹入する背面視台形状の凹入部９７上に設けられており、その凹入部９７の底壁９７ａに設けられ且つ前構造体４０側の嵌合突部８１が前側から嵌合可能な嵌合孔部９８と、その嵌合孔部９８の上下の底壁９７ａにより構成される係止受け部９９とを備えている。
【００４６】
前構造体４０と裏構造体４１とを共に遊技盤１３の所定位置に装着したとき、前構造体４０側の嵌合突部８１及び水平状態にある係止具８２が裏構造体４１側の嵌合孔部９８に前側から嵌合し、この状態で前構造体４０側の係止具８２を水平状態から略９０度回転させることにより、係止具８２のレバー部８２ａが裏構造体４１側の係止受け部９９に係合して前構造体４０と裏構造体４１とが互いに固定されるようになっている。
【００４７】
以上のような構成を有する液晶式表示手段２３を遊技盤１３に装着する際には、まず前構造体４０を遊技盤１３の装着孔１３ａに前側から装着する。即ち、圧入固定手段４８を、その上下の圧入爪７６ａ，７６ｂの案内面７８を装着孔１３ａの上下面に摺接させることによって圧入爪７６ａ，７６ｂを圧縮方向に弾性変形させつつ後方に押し込み、装着孔１３ａを後ろ向きに通過させる。そして、前飾り板５１を遊技盤１３の前面側に当接させて位置決め突起５１ａを遊技盤１３側の位置決め孔１３ｂに嵌合させると、図８に示すように圧入爪７６ａ，７６ｂの係合面７７が装着孔１３ａの後縁部に後側から圧着係合して、前構造体４０が遊技盤１３に対して固定される。
【００４８】
続いて、裏構造体４１を、前構造体４０の裏側を覆うように遊技盤１３の裏側に装着する。即ち、前構造体４０の係止具８２を係合突部８１に沿って水平位置に合わせておき、裏構造体４１側の係合孔部９８を前構造体４０側の係止具８２及び係合突部８１に嵌合させつつ固定板部９２を遊技盤１３の裏面側に当接させる。その固定板部９２を遊技盤１３の裏面側の所定位置にネジ止めすれば、図４，図５，図１０等に示すような状態で、裏構造体４１は遊技盤１３の裏面に固定される。
【００４９】
更に、前構造体４０側の係止具８２を水平状態から略９０度回転させて裏構造体４１側の係止受け部９９に係合させ（図４、図５参照）、前構造体４０と裏構造体４１とを下部の左右方向中央位置にて前後方向に固定する。これにより、前構造体４０の下部の左右方向中央部分が前側に変形して前飾り板５１や球案内ステージ５３等が遊技盤１３から浮き上がることがなく、遊技球の落下経路に悪影響を及ぼす不具合を防止できる。
【００５０】
前構造体４０と裏構造体４１とを共に遊技盤１３から取り外す際には、上述した装着手順の逆の手順で行えばよい。即ち、前構造体４０側の係止具８２を略９０度回転させて係止受け部９９への係合を解除し、裏構造体４１を遊技盤１３から取り外す。そして、前構造体４０の圧入固定手段４８の上下の圧入爪７６ａ，７６ｂを互いに向かい合う方向に弾性変形させて係合面７７の装着孔１３ａ後縁部への係合を解除して、前構造体４０を前側に押し出せばよい。
【００５１】
また、本実施形態では、裏構造体４１側に圧入固定手段４８の圧入爪７６ａ，７６ｂに対応する開口部９６ａ，９６ｂが設けられているため、裏構造体４１を遊技盤１３に固定した状態で前構造体４０のみを遊技盤１３から容易に取り外すことが可能である。
【００５２】
即ち、裏構造体４１を遊技盤１３に装着した状態で、裏構造体４１の上壁板９３ａ側に設けられた開口部７６ａから指、その他の突起物を挿入し、図１０に２点鎖線で示すように、上側の圧入爪７６ａの上面側をそのまま下向きに押し下げる。
【００５３】
同様に、側壁板９３ｃ，９３ｄ側に設けられた開口部７６ｂから指、その他の突起物を挿入して、圧入爪７６ｂをその側方から上向きに押し上げる。これにより、各圧入爪７６ａ，７６ｂの係合面７７の装着孔１３ａ後縁部への係合を解除することができ、さらにそのまま前構造体４０を前側に押し出すことにより、裏構造体４１を遊技盤１３に固定した状態で前構造体４０のみを遊技盤１３から容易に取り外すことができる。
【００５４】
以上説明したように、本実施形態では、裏構造体４１上で且つ前構造体４０と前記裏構造体４１とを遊技盤１３に装着した状態で圧入固定手段４８に対応する位置に開口部９６ａ，９６ｂを設けているため、裏構造体４１を遊技盤１３に装着した状態で開口部９６ａ，９６ｂを介して圧入固定手段４８による固定状態を解除することができ、裏構造体４１を遊技盤１３から取り外すことなく前構造体４０を遊技盤１３から容易に取り外すことが可能である。
【００５５】
また、圧入固定手段４８は遊技盤１３への係合部である複数の圧入爪７６ａ，７６ｂを備え、それら各圧入爪７６ａ，７６ｂに対応して夫々開口部９６ａ，９６ｂを設けているため、裏構造体４１を遊技盤１３に装着したままで全ての圧入爪７６ａ，７６ｂの係合を極めて容易に解除することができ、裏構造体４１を遊技盤１３に装着したままでの前構造体４０の取り外しをより一層容易に行うことができる。
【００５６】
開口部９６ａを、圧入固定手段４８の係合解除操作方向に対応する位置、即ち圧入爪７６ａの係合解除方向（下向き）の上流側（上側）に設けているため、開口部９６ａに指、その他の突起物を挿入し、その挿入方向に圧入爪７６ａを押圧するだけで圧入固定手段４８の係合を解除することができ、係合解除操作を極めて容易に行うことができる。
【００５７】
図１１〜図１３は本発明の第２の実施形態を例示し、前構造体４０と裏構造体４１とを遊技盤１３に装着した状態で、圧入固定手段４８の圧入爪７６ａの少なくとも一部、例えば上面側が開口部９６ａを介して外側に突出するように構成した例を示している。
【００５８】
図１１等に示すように、本実施形態の裏構造体４１は、ケース体９１の上壁板９３ａが左右方向中央部分よりもその両側が低い背面視略凸状に形成されており、その左右両側の低面部１０１は圧入固定手段４８の上側の圧入爪７６ａの上端側よりも若干低い位置に設けられている。
【００５９】
また、その低面部１０１には、左右の圧入爪７６ａに対応して夫々開口部９６ａが形成されている。この開口部９６ａは、上壁板９３ａの前縁側から後方に向けて矩形の切り欠き状に形成されており、前構造体４０を遊技盤１３に装着した状態で裏構造体４１を装着する際に、圧入爪７６ａがこの開口部９６ａに嵌合し、その圧入爪７６ａの上面側の少なくとも一部分が開口部９６ａを介して裏構造体４１の外側（上側）に向けて突出するようになっている。
【００６０】
ここで、開口部９６ａは、上壁板９３ａの前縁側から後方に向けて切り欠き状に形成されており、裏構造体４１の遊技盤１３への装着方向、即ち前向きに開放されているため、前構造体４０を遊技盤１３に装着した状態で裏構造体４１を装着する際に裏構造体４１と圧入爪７６ａとが干渉せず、裏構造体４１の装着時に圧入爪７６ａが係合解除方向に押されて前構造体４０が外れるなどの不具合を防止できる。
【００６１】
なお、開口部９６ａは、圧入爪７６ａが嵌合したときにその圧入爪７６ａにより略閉鎖される大きさとすることが望ましい。これにより、隙間からの異物等の進入を極力防止できる。
【００６２】
裏構造体４１を遊技盤１３に固定した状態で前構造体４０のみを遊技盤１３から取り外す際には、第１の実施形態と同様、開口部７６ａを介して上側の圧入爪７６ａを、開口部７６ｂを介して下側の圧入爪７６ｂを操作して、夫々装着孔１３ａ後縁部への係合を解除すればよい。その際、本実施形態では圧入爪７６ａの上面側が開口部９６ａを介して外側に突出しているため、圧入爪７６ａの係合を解除する際の開口部７６ａの内側への押圧操作量が小さくてすむため、構造体４１を遊技盤１３に装着したままでの前構造体４０の取り外しをより一層容易に行うことができる。
【００６３】
図１４〜図１６は本発明の第３の実施形態を例示し、第１の実施形態を変更して、開口部９６ａ，９６ｂに開閉扉１０２を設けた例を示している。
【００６４】
開閉扉１０２は、少なくとも開口部９６ａ，９６ｂを閉鎖可能な大きさの矩形板状に形成された扉本体１０２ａと、その扉本体１０２ａの前端側近傍でその面外方向に立設されたつまみ部１０２ｂとを例えば一体に備えている。
【００６５】
ケース体９１の上壁板９３ａ及び側壁板９３ｃ，９３ｄの内面側には、開口部９６ａ，９６ｂに対応して夫々一対のレール部１０３が前後方向に配設されている。また、ケース体９１の背板９３ｅには、レール部１０３の後方に対応して横長スリット状の孔部１０４が形成されている。
【００６６】
開閉扉１０２は、つまみ部１０２ｂを開口部９６ａ，９６ｂから外側に突出させ、その後端側を孔部１０４に嵌合させた状態で、その両側縁部においてレール部１０３により上壁板９３ａ又は側壁板９３ｃ，９３ｄに沿って前後方向摺動自在に保持されている。
【００６７】
開閉扉１０２を、つまみ部１０２ｂが開口部９６ａ，９６ｂの後縁に当接するまで摺動させると、開口部７６ａ，７６ｂは開状態となり、圧入固定手段４８の圧入爪７６ａ，７６ｂを裏構造体４１の外側から係合解除操作可能な状態となる。このとき、開閉扉１０２の後部は孔部１０４から後方に突出した状態となる。
【００６８】
また、開閉扉１０２を、つまみ部１０２ｂ又は扉本体１０２ａの前縁側が遊技盤１３の裏面側に当接するまで摺動させると、開口部７６ａ，７６ｂは閉状態となる。ここで、開閉扉１０２の前後方向長さはケース体９１の前後方向長さと略等しく形成されており、開閉扉１０２を閉じたとき、開閉扉１０２の後縁側が背板９３ｅと略面一の状態で孔部１０４を閉鎖するようになっている。この状態では、圧入固定手段４８の誤操作による係合解除を防止できるだけでなく、埃や異物等の進入を極力防止できる。
【００６９】
なお、ケース体９１の前後方向長さが開口部７６ａ，７６ｂの前後方向長さと比較して十分に長い（２倍以上）場合には、開閉扉１０２の前後方向長さを開口部７６ａ，７６ｂと略同じか若干長く形成して、孔部１０４を省略することができる。
【００７０】
図１７は本発明の第４の実施形態を例示し、圧入爪７６ａに対応する開口部９６ａを、ケース体９１の上壁板９３ａから背板９３ｅ側にわたって形成した例を示している。同様に、圧入爪７６ｂに対応する開口部９６ｂについても、ケース体９１の側壁板９３ｃ，９３ｄから背板９３ｅ側にわたって形成してもよい。
【００７１】
また、図１７は第２の実施形態のように、圧入爪７６ａの少なくとも一部、例えば上面側が開口部９６ａを介して外側に突出するように構成した場合において、開口部９６ａをケース体９１の上壁板９３ａから背板９３ｅ側にわたって形成した例を示したが、圧入爪７６ａ等が開口部９６ａ等を介して外側に突出しない第１の実施形態のような構成において同様に開口部９６ａ等をケース体９１の上壁板９３ａ等から背板９３ｅ側にわたって形成してもよい。
【００７２】
また、開口部を、ケース体９１の上壁板９３ａ又は側壁板９３ｃ、９３ｄから背板９３ｅにわたって形成する以外に、例えば上壁板９３ａ、側壁板９３ｃ、及び背板９３ｅの３つの面にわたって形成してもよい。即ち、開口部を、裏構造体４１側のケース体９１を構成する複数の面にわたって形成してもよい。
【００７３】
図１８及び図１９は本発明の第５の実施形態を例示し、第２の実施形態を変更して、開口部９６ａに、圧入爪７６ａを係合状態から解除状態に切り換える外部操作可能な解除操作手段１０５を設けた例を示している。
【００７４】
ケース体９１の低面部１０１の内面側には、開口部９６ａに対応して夫々一対のレール部１０６が、圧入爪７６ａの案内面７８の傾斜方向に対応して前後方向に配設されている。
【００７５】
解除操作手段１０５は、矩形板状の摺動支持部１０５ａと、その摺動支持部１０５ａの前端側近傍でその面外方向に立設されたつまみ部１０５ｂとを例えば一体に備えており、つまみ部１０５ｂを開口部９６ａから外側に突出させた状態で、摺動支持部１０５ａの両側縁部においてレール部１０６により低面部１０１に沿って前後方向摺動自在に保持されている。
【００７６】
解除操作手段１０５は、通常時は、図１９（ａ）に示すように開口部９６ａが略全開となるように開口部９６ａの後側に配置される。この状態では、圧入爪７６ａは遊技盤１３の装着孔１３ａの後縁側に係合して、その上端側が開口部９６ａを介して外側に突出した状態となっている。
【００７７】
裏構造体４１を遊技盤１３に固定した状態で前構造体４０のみを遊技盤１３から取り外す際には、つまみ部１０５ｂを前向きに操作して、解除操作手段１０５を前向きに摺動させる。これにより、摺動支持部１０５ａの前縁側が、後下がりに傾斜する圧入爪７６ａの案内面７８に後側から乗り上げてこの圧入爪７６ａが下向きに押し下げられ、図１９（ｂ）に示すように、圧入爪７６の係合が解除され、前構造体４０は遊技盤１３の前側への取り外しが可能な状態となる。
【００７８】
このような解除操作手段１０５を設けることで、圧入爪７６ａの係合解除操作をより容易に行うことができる。なお、解除操作手段１０５は、第２の実施形態のように圧入爪７６ａの少なくとも一部、例えば上面側が開口部９６ａを介して外側に突出するように構成した場合だけでなく、第１の実施形態のように圧入爪７６ａ等の全体が開口部９６ａ等よりも内側にある場合にも設けることができる。この場合、例えば摺動支持部１０５ａの裏側に、圧入爪７６ａ等の案内面７８に当接可能な突出部を設ければよい。
【００７９】
また、解除操作手段１０５は摺動動作により圧入爪７６ａ等の係合を解除するものに限らず、例えば所定位置を中心に回転動作させることにより圧入爪７６ａ等の係合を解除するものであってもよい。
【００８０】
以上、本発明の各実施形態について詳述したが、本発明はこれら各実施形態に限定されるものではなく、本発明の趣旨を逸脱しない範囲内で種々の変更が可能である。例えば、開口部は、裏構造体４１の外側から圧入爪（係合部）の係合を解除可能な位置であれば、圧入爪の上下方向、左右方向に限らず、後方（例えば背板９３ｅ上）或いは斜め方向等に設けてもよい。
【００８１】
実施形態では、上側の圧入爪７６ａに対してはその上方に、下側の圧入爪７６ｂに対してはその左右方向に開口部９６ａ，９６ｂを設けたが、開口部９６ａ，９６ｂ共に圧入爪７６ａ，７６ｂの上下方向、或いは左右方向に設けてもよい。
【００８２】
開口部９６ａ，９６ｂ共に圧入爪７６ａ，７６ｂの上下方向に開口部９６ａ，９６ｂを設ける場合、圧入爪７６ａ，７６ｂを共に開口部９６ａ，９６ｂを介して裏構造体４１の外側に突出するようにしてもよい。
【００８３】
圧入固定手段４８は、上下方向以外の方向、例えば左右方向に配置してもよい。１つの圧入固定手段４８に、１つ又は３つ以上の圧入爪７６を備えていてもよい。
【００８４】
開閉扉は、スライド式のものに限られるものではなく、ヒンジ開閉式のものや着脱式のものなどでもよい。また、開閉扉は開口部９６ａ，９６ｂを外側から閉鎖するものでもよい。
【００８５】
第２の実施形態の開口部９６ａのように、圧入爪７６ａが内側から嵌合して外向きに突出する場合でも、例えばその圧入爪７６ａを外側から覆うように開閉扉を設けてもよい。
【００８６】
前構造体４０を遊技盤１３に固定するための係合手段は、実施形態に示したような圧入固定式のものに限られるものではなく、何らかの係合部が遊技盤１３に係合して前構造体４０を固定できるものであればよい。また、固定ネジ等により固定するもの、或いは固定ネジ等を併用して固定するものであってもよい。この場合、裏構造体４１にドライバー等を挿入できる開口部を設けてもよい。
【００８７】
液晶式表示手段２３は、前構造体４０と裏構造体４１とを固定手段４３により互いに固定できるものである必要はない。また、必ずしも球案内ステージ５４等を備えたものである必要はない。
【００８８】
実施形態で示したような構成は、液晶式表示手段２３等の表示手段以外に、大入賞手段等の各種入賞手段、ランプ手段、その他の各種の遊技部品に採用することができる。
【００８９】
更に、実施形態ではパチンコ機を例に挙げて説明したが、アレンジボール機、雀球遊技機等のその他の弾球遊技機の他、スロットマシン等の各種遊技機において同様に実施可能であることは言うまでもない。
【００９０】
【発明の効果】
本発明によれば、装着孔１３ａを有する遊技盤１３と、遊技盤１３の前側から装着孔１３ａに装着され且つ遊技盤１３に対して係合手段４８により係脱自在に固定される前構造体４０と、前構造体４０の裏側を覆うように遊技盤１３の裏側に装着される裏構造体４１とを備えた遊技機において、裏構造体４１上の係合手段４８に対応する位置に開口部９６ａ，９６ｂを設け、この開口部９６ａ，９６ｂを開閉可能な開閉扉１０２を設けているため、裏構造体４１を遊技盤１３に装着した状態で開口部９６ａ，９６ｂを介して係合手段４８の係合状態を解除することができ、裏構造体４１を遊技盤１３から取り外すことなく前構造体４０を遊技盤１３から容易に取り外すことが可能である。
【図面の簡単な説明】
【図１】本発明の第１の実施形態を示すパチンコ機の正面図である。
【図２】本発明の第１の実施形態を示すパチンコ機の遊技盤の正面図である。
【図３】本発明の第１の実施形態を示すパチンコ機の遊技盤の正面拡大図である。
【図４】本発明の第１の実施形態を示す液晶式表示手段の裏面図である。
【図５】本発明の第１の実施形態を示す液晶式表示手段の縦断面図である。
【図６】本発明の第１の実施形態を示す液晶式表示手段の前構造体の遊技盤装着状態での裏面図である。
【図７】本発明の第１の実施形態を示す液晶式表示手段の裏構造体の裏面図である。
【図８】本発明の第１の実施形態を示す液晶式表示手段の前構造体を遊技盤に装着した状態を示す側面部分断面図である。
【図９】本発明の第１の実施形態を示す液晶式表示手段の前構造体を遊技盤に装着した状態を示す平面部分断面図である。
【図１０】本発明の第１の実施形態を示す液晶式表示手段の遊技盤装着状態での側面部分断面図である。
【図１１】本発明の第２の実施形態を示す液晶式表示手段の裏面図である。
【図１２】本発明の第２の実施形態を示す液晶式表示手段の上側の圧入爪及び開口部周辺の縦断面図である。
【図１３】本発明の第２の実施形態を示す液晶式表示手段の上側の圧入爪及び開口部周辺の斜視図である。
【図１４】本発明の第３の実施形態を示す液晶式表示手段の上側の開口部周辺の平面図である。
【図１５】本発明の第３の実施形態を示す液晶式表示手段の遊技盤装着状態での側面部分断面図である。
【図１６】本発明の第３の実施形態を示す液晶式表示手段の背面部分断面図である。
【図１７】本発明の第４の実施形態を示す液晶式表示手段の上側の圧入爪及び開口部周辺の斜視図である。
【図１８】本発明の第５の実施形態を示す液晶式表示手段の上側の圧入爪、開口部、及び解除操作手段周辺の斜視図である。
【図１９】本発明の第５の実施形態を示す通常状態での液晶式表示手段の上側の圧入爪、開口部、及び解除操作手段周辺の縦断面図で、（ａ）は解除操作手段を通常位置に配置した状態、（ｂ）は解除操作手段を解除方向へ操作した状態を示している。
【符号の説明】
１３              遊技盤
１３ａ            装着孔
４０              前構造体
４１              裏構造体
４２              液晶表示ユニット（画像表示手段）
４８              圧入固定手段（係合手段）
７６ａ，７６ｂ    圧入爪（係合部）
９６ａ，９６ｂ    開口部
１０２            開閉扉
【図１】
0004185300.tif 000002
【図２】
0004185300.tif 000003
【図３】
0004185300.tif 000004
【図４】
0004185300.tif 000005
【図５】
0004185300.tif 000006
【図６】
0004185300.tif 000007
【図７】
0004185300.tif 000008
【図８】
0004185300.tif 000009
【図９】
0004185300.tif 000010
【図１０】
0004185300.tif 000011
【図１１】
0004185300.tif 000012
【図１２】
0004185300.tif 000013
【図１３】
0004185300.tif 000014
【図１４】
0004185300.tif 000015
【図１５】
0004185300.tif 000016
【図１６】
0004185300.tif 000017
【図１７】
0004185300.tif 000018
【図１８】
0004185300.tif 000019
【図１９】
0004185300.tif 000020